(57)【要約】      （修正有）【課題】手術用顕微鏡への装着が容易なドレープ、手術用顕微鏡および手術用顕微鏡システムを提供する。【解決手段】被観察体の微小部位を拡大して観察する手術用顕微鏡を被覆することによって該手術用顕微鏡の滅菌状態を維持するドレープが、未使用時の状態で折り畳まれており、使用時に広げられて手術用顕微鏡を被覆する本体部と、未使用時の状態から使用時の状態への当該ドレープの状態変化を促進する取手部（引き出し用部材）３３と、を備える。【選択図】図３
2018166639.tif 000002
【特許請求の範囲】
【請求項１】
被観察体の微小部位を拡大して観察する手術用顕微鏡を被覆することによって該手術用顕微鏡の滅菌状態を維持するドレープであって、
未使用時の状態で折り畳まれており、使用時に広げられて前記手術用顕微鏡を被覆する本体部と、
前記未使用時の状態から前記使用時の状態への当該ドレープの状態変化を促進する取手部と、
を備えるドレープ。
【請求項２】
前記取手部は、
前記本体部の開口端部に設けられ、前記本体部の折り畳まれている部分を前記本体部の長手方向に沿って前記開口端部から引き出す力を加えることが可能な引き出し用部材を有する請求項１に記載のドレープ。
【請求項３】
前記本体部は、前記未使用時の状態で厚さ方向に重ねて折り畳まれている請求項１または２に記載のドレープ。
【請求項４】
前記本体部は、前記厚さ方向の内周側に重ねて折り畳まれている請求項３に記載のドレープ。
【請求項５】
前記本体部は、前記未使用時の状態で長手方向に重ねて折り畳まれている請求項１または２に記載のドレープ。
【請求項６】
前記取手部は、
前記長手方向の端部であって前記本体部の開口端部とは異なる端部から前記開口端部を越えて延在する紐状のガイド部と、
前記長手方向に沿って複数設けられ、各々が前記ガイド部を挿通する複数の挿通部と、
を有する請求項５に記載のドレープ。
【請求項７】
前記本体部が広がった状態において、長手方向と直交する方向の幅が、前記長手方向の端部であって前記本体部の開口端部とは異なる端部から前記開口端部へ向けて単調に増加する請求項１〜６のいずれか一項に記載のドレープ。
【請求項８】
被観察体の微小部位を拡大して観察する手術用顕微鏡であって、
未使用時の状態で折り畳まれており、使用時に広げられて前記手術用顕微鏡を被覆する本体部を有し、前記手術用顕微鏡の滅菌状態を維持するドレープにおける前記未使用時の状態から前記使用時の状態への状態変化を促進する滑動部を備える手術用顕微鏡。
【請求項９】
前記滑動部は、
前記手術用顕微鏡に設けられ、前記ドレープが状態変化する際に前記本体部と前記手術用顕微鏡との間に生じる摩擦力を低減する摩擦低減部を有する請求項８に記載の手術用顕微鏡。
【請求項１０】
被観察体の微小部位を拡大して撮像する撮像部と、
ユーザによって把持可能な筒状をなし、中空部に前記撮像部を収容してなるグリップ部と、
を備える請求項８または９に記載の手術用顕微鏡。
【請求項１１】
被観察体の微小部位を拡大して観察する手術用顕微鏡と、
未使用時の状態で折り畳まれており、使用時に広げられて前記手術用顕微鏡を被覆する本体部を有し、前記手術用顕微鏡の滅菌状態を維持するドレープと、
を備え、
前記手術用顕微鏡は、
前記ドレープにおける前記未使用時の状態から前記使用時の状態への状態変化を促進する滑動部を有し、
前記ドレープは、
未使用時の状態で折り畳まれており、使用時に広げられて前記手術用顕微鏡を被覆する本体部と、
前記未使用時の状態から前記使用時の状態への当該ドレープの状態変化を促進する取手部と、
を有する手術用顕微鏡システム。
【発明の詳細な説明】
【技術分野】
【０００１】
本開示は、ドレープ、手術用顕微鏡および手術用顕微鏡システムに関する。
【背景技術】
【０００２】
被観察体である患者の脳等における微小部位を観察する顕微鏡部と、顕微鏡部を移動可能に支持するアームとを備えた手術用顕微鏡では、滅菌状態を維持するためにドレープが使用される。ドレープは、ビニール等の材料からなる袋状の部材であり、顕微鏡部やアームを被覆するように装着される（例えば、特許文献１を参照）。
【先行技術文献】
【特許文献】
【０００３】
【特許文献１】特開２００３−２２００７７号公報
【発明の概要】
【発明が解決しようとする課題】
【０００４】
特許文献１に記載の従来の手術用顕微鏡は、複数の人が同時に観察するために複数の接眼レンズが設けられている。このため、ドレープを装着する際には複雑な形状を有する接眼部を通過させて装着しなければならず、装着が容易であるとは言い難かった。
【０００５】
本開示は、上記に鑑みてなされたものであって、手術用顕微鏡への装着が容易なドレープ、手術用顕微鏡および手術用顕微鏡システムを提供することを目的とする。
【課題を解決するための手段】
【０００６】
上述した課題を解決し、目的を達成するために、本開示に係るドレープは、被観察体の微小部位を拡大して観察する手術用顕微鏡を被覆することによって該手術用顕微鏡の滅菌状態を維持するドレープであって、未使用時の状態で折り畳まれており、使用時に広げられて前記手術用顕微鏡を被覆する本体部と、前記未使用時の状態から前記使用時の状態への当該ドレープの状態変化を促進する取手部と、を備える。
【０００７】
本開示に係るドレープは、上記開示において、前記取手部は、前記本体部の開口端部に設けられ、前記本体部の折り畳まれている部分を前記本体部の長手方向に沿って前記開口端部から引き出す力を加えることが可能な引き出し用部材を有する。
【０００８】
本開示に係るドレープは、上記開示において、前記本体部は、前記未使用時の状態で厚さ方向に重ねて折り畳まれている。
【０００９】
本開示に係るドレープは、上記開示において、前記本体部は、前記厚さ方向の内周側に重ねて折り畳まれている。
【００１０】
本開示に係るドレープは、上記開示において、前記本体部は、前記未使用時の状態で長手方向に重ねて折り畳まれている。
【００１１】
本開示に係るドレープは、上記開示において、前記取手部は、前記長手方向の端部であって前記本体部の開口端部とは異なる端部から前記開口端部を越えて延在する紐状のガイド部と、前記長手方向に沿って複数設けられ、各々が前記ガイド部を挿通する複数の挿通部と、を有する。
【００１２】
本開示に係るドレープは、上記開示において、前記本体部を広げた状態において、長手方向と直交する方向の幅が、前記長手方向の端部であって前記本体部の開口端部とは異なる端部から前記開口端部へ向けて単調に増加する。
【００１３】
本開示に係る手術用顕微鏡は、被観察体の微小部位を拡大して観察する手術用顕微鏡であって、未使用時の状態で折り畳まれており、使用時に広げられて前記手術用顕微鏡を被覆する本体部を有し、前記手術用顕微鏡の滅菌状態を維持するドレープにおける前記未使用時の状態から前記使用時の状態への状態変化を促進する滑動部を備える。
【００１４】
本開示に係る手術用顕微鏡は、上記開示において、前記滑動部は、前記手術用顕微鏡に設けられ、前記ドレープが状態変化する際に前記本体部と前記手術用顕微鏡との間に生じる摩擦力を低減する摩擦低減部を有する。
【００１５】
本開示に係る手術用顕微鏡は、上記開示において、前記手術用顕微鏡は、被観察体の微小部位を拡大して撮像する撮像部と、ユーザによって把持可能な筒状をなし、中空部に前記撮像部を収容してなるグリップ部と、を有する。
【００１６】
本開示に係る手術用顕微鏡システムは、被観察体の微小部位を拡大して観察する手術用顕微鏡と、未使用時の状態で折り畳まれており、使用時に広げられて前記手術用顕微鏡を被覆する本体部を有し、前記手術用顕微鏡の滅菌状態を維持するドレープと、を備え、前記手術用顕微鏡は、前記ドレープにおける前記未使用時の状態から前記使用時の状態への状態変化を促進する滑動部を有し、前記ドレープは、未使用時の状態で折り畳まれており、使用時に広げられて前記手術用顕微鏡を被覆する本体部と、前記未使用時の状態から前記使用時の状態への当該ドレープの状態変化を促進する取手部と、を有する。
【発明の効果】
【００１７】
本開示によれば、手術用顕微鏡への装着が容易なドレープおよび当該ドレープを備えた手術用顕微鏡システムを提供することができる。
【図面の簡単な説明】
【００１８】
【図１】図１は、実施の形態１に係る手術用顕微鏡システムの構成を示す図である。
【図２】図２は、手術用顕微鏡の先端部に装着されるドレープの構成ならびに手術用顕微鏡の先端部における支持部および顕微鏡部の構成を示す拡大斜視図である。
【図３】図３は、実施の形態１に係るドレープの未使用時の状態における構成を示す部分断面図である。
【図４】図４は、実施の形態１に係るドレープの本体部を広げた状態を示す断面図である。
【図５】図５は、実施の形態１に係るドレープの本体部を広げないままで手術用顕微鏡の先端部を被覆した状況を示す図である。
【図６】図６は、実施の形態１に係るドレープの本体部の折り畳まれた部分を広げ始めた状況を示す図である。
【図７】図７は、実施の形態１に係るドレープの本体部を広げている途中の状況を示す図である。
【図８】図８は、実施の形態２に係るドレープの未使用時の状態における構成を示す部分断面図である。
【図９】図９は、実施の形態２の変形例に係るドレープの未使用時の状態における構成を示す部分断面図である。
【図１０】図１０は、実施の形態３に係る手術用顕微鏡システムの要部の構成を示す図である。
【図１１】図１１は、実施の形態４に係る手術用顕微鏡システムの要部の構成を示す図である。
【発明を実施するための形態】
【００１９】
以下、添付図面を参照して、本開示に係る実施の形態を説明する。図面の記載において、同一の部分には同一の符号を付している。なお、図面は模式的なものであり、図面の相互間において同一の部分の寸法や同一の部分間の大きさの比率等が異なる場合もある。
【００２０】
（実施の形態１）
図１は、実施の形態１に係る手術用顕微鏡システムの構成を示す図である。同図に示す手術用顕微鏡システム１は、手術用顕微鏡２と、手術用顕微鏡２の先端部を含む一部を被覆して手術用顕微鏡２の滅菌状態を維持するドレープ３と、を備える。
【００２１】
手術用顕微鏡２は、被観察体の微細構造を拡大して撮像する顕微鏡としての機能を有する。手術用顕微鏡２は、床面上を移動可能であり、内部に手術用顕微鏡２の制御回路が設けられたベース部４と、２つのアーム部および該２つのアーム部の一方を他方に対して回動可能に連結する関節部からなる組を複数有し、ベース部４に支持される支持部５と、支持部５の先端に設けられて被観察体の微小部位を拡大して撮像する円柱状の顕微鏡部６と、を備える。
【００２２】
図２は、手術用顕微鏡２の先端部に装着されるドレープ３の構成ならびに手術用顕微鏡２の先端部における支持部５および顕微鏡部６の構成を示す拡大斜視図である。
【００２３】
まず、支持部５の先端部の構成を説明する。支持部５は、先端側で顕微鏡部６を回動可能に支持する第１関節部５１と、第１関節部５１に固定され、第１関節部５１の側面から延びる第１アーム部５２と、先端側で第１アーム部５２を回動可能に保持する第２関節部５３と、先端部が第２関節部５３に固定される第２アーム部５４とを有する。
【００２４】
第１関節部５１は円筒状をなし、高さ方向の中心軸である第１軸Ｏ1のまわりに回動可能に顕微鏡部６を保持する。第１アーム部５２は、第１関節部５１の側面から第１軸Ｏ1と直交する方向に延びる形状をなす。第２関節部５３は円筒状をなし、高さ方向の中心軸であり、かつ第１軸Ｏ1と直交する軸である第２軸Ｏ2のまわりに回動可能に第１アーム部５２を保持する。第２アーム部５４は、第２軸Ｏ2と直交する方向に延びる形状をなす。
【００２５】
第２アーム部５４の基端側からベース部４に至る部分には、複数の関節部およびアーム部が設けられている（図１を参照）。なお、支持部５は、２つのアーム部および該２つのアーム部の一方を他方に対して回動可能に連結する関節部からなる組を少なくとも一組有していればよい。このため、第２アーム部５４の基端側からベース部４に至る部分の構成は、適宜変更することが可能である。
【００２６】
第１関節部５１および第２関節部５３は、顕微鏡部６および第１アーム部５２の回動をそれぞれ禁止する電磁ブレーキを有する。各電磁ブレーキは、顕微鏡部６に設けられる操作入力部（後述）の操作入力に応じて解除され、顕微鏡部６および第１アーム部５２の回動が許容される。なお、電磁ブレーキの代わりにエアブレーキを適用してもよい。
【００２７】
支持部５には、複数のケーブルを収容可能な中空部が形成されている。このため、手術用顕微鏡２の外部にケーブルが露出することなく、ケーブルに人や物が引っかかってしまうのを防止することができる。また、複数のケーブルを本体外部で引き回すよりも小型化することができ、術者等のユーザの視界の妨げにもならない。
【００２８】
次に、顕微鏡部６の構成を説明する。顕微鏡部６は、円筒状をなす筒状部６１と、筒状部６１の中空部に設けられ、被観察体の像を拡大して撮像する撮像部６２と、顕微鏡部６の各種操作入力を受け付ける操作入力部６３とを有する。
【００２９】
筒状部６１は、第１関節部５１よりも径が小さい円筒状をなしており、下端部の開口面には、撮像部６２を保護するカバーガラスが設けられている（図示せず）。筒状部６１は、ユーザによって把持可能であり、撮像部６２の視野を変更する際にユーザが移動させるグリップ部としての機能を有する。なお、筒状部６１の形状は円筒状に限られるわけではなく、多角筒状をなしていてもよい。
【００３０】
撮像部６２は、光軸が第１軸Ｏ1と一致するようにそれぞれ配置される複数のレンズを有し、被観察体からの光を集光して結像する光学系６２１と、光学系６２１が集光した光を受光して光電変換することによって撮像信号を生成する撮像素子６２２とを有する。撮像部６２は、第１関節部５１の中空部まで入り込んでいる。図２では、筒状部６１および第１関節部５１の中空部に設置される光学系６２１および撮像素子６２２を破線で模式的に示している。
【００３１】
光学系６２１は、複数のレンズを有し、操作入力部６３から出力される信号に基づいて被観察体像の拡大倍率および被観察体までの焦点距離を変更可能である。
【００３２】
撮像素子６２２は、ＣＣＤ（Charge  Coupled  Device）またはＣＭＯＳ（Complementary  Metal  Oxide  Semiconductor）を用いて構成される。撮像素子６２２が出力する撮像信号は、支持部５の内部空間に設けられる伝送ケーブルを介してベース部４の内部に設けられる制御回路に伝送される。
【００３３】
操作入力部６３は、第１関節部５１および第２関節部５３における電磁ブレーキを解除して各関節部の回動を許容する信号や、撮像部６２における拡大倍率および被観察体までの焦点距離の変更を指示する信号の入力を受け付ける。ユーザは、筒状部６１の側面のうち、操作入力部６３が設けられる側面と反対側の側面と向かい合って顕微鏡部６を操作する。
【００３４】
次に、ドレープ３の構成を説明する。ドレープ３は、手術用顕微鏡２の先端部から支持部５の基端部付近までを被覆して、その部分の滅菌状態を維持する。ドレープ３の本体は、ビニール等の透明で柔軟な材料を用いて構成され、手術用顕微鏡２の形状に適合する袋状をなす。
【００３５】
図３は、ドレープ３の未使用時の状態における構成を示す部分断面図である。図４は、ドレープ３の本体部３２を広げた状態を示す断面図である。ドレープ３は、顕微鏡部６の筒状部６１の先端に取り付けられ、被観察体からの光を集光する開口面を保護するカバーガラス（図示せず）が設けられた円筒状の開口カバー３１と、未使用時の状態で厚さ方向（図３の上下方向）の内周側に重ねて折り畳まれており、使用時に広げられて手術用顕微鏡２を被覆する本体部３２と、本体部３２の長手方向（図３の左右方向）の開口端部に設けられ、本体部３２の折り畳まれている部分を長手方向に沿って開口端部から引き出す力を加えることが可能な帯状の引き出し用部材３３と、を有する。
【００３６】
本体部３２は、図４に示すように広げた状態において、長手方向に沿って開口カバー３１が設けられる側の端部から開口端部へ向けて、長手方向と直交する方向の幅（図４の上下方向の長さ）が単調に増加する形状をなしている。ここでいう「幅が単調に増加」とは、図４に示すように、長手方向に沿って開口カバー３１が設けられる側の端部から開口端部へ向けて一部の幅が均一である場合も含む。図３および図４では、２つの引き出し用部材３３を図示しているが、開口端部に設けられる引き出し用部材３３の数は適宜変更することが可能である。本体部３２は、ビニール等の透明で柔軟な材料を用いて構成される。なお、本体部３２は、長手方向に沿って同じ幅の筒状をなしていてもよい。
【００３７】
引き出し用部材３３は、本体部３２の長手方向の開口端部に設けられ、未使用時の状態から使用時の状態へのドレープ３の状態変化を促進する取手部としての機能を有する。なお、取っ手等の部材を引き出し用部材として適用することも可能である。
【００３８】
以上の構成を有するドレープ３の手術用顕微鏡２への装着方法について説明する。まずユーザは、未使用時の状態にあるドレープ３の中空部に顕微鏡部６を挿入して開口カバー３１を筒状部６１の先端に取り付けた後、ドレープ３の本体部３２を広げずに手術用顕微鏡２の先端部を被覆する。図５は、本体部３２を広げないままで手術用顕微鏡２の先端部を被覆した状況を示す図である。図５に示す状態では、本体部３２が折り畳まれたままの状態にある。この後、ユーザは、引き出し用部材３３を手でつかんで支持部５が基端側へ延びる方向に沿って引っ張ることにより、本体部３２を支持部５の基端部付近まで広げていく。
【００３９】
図６は、引き出し用部材３３を引っ張って本体部３２の折り畳まれた部分を広げ始めた状況を示す図である。また、図７は、図６に示す状態から本体部３２をさらに広げた状況を示す図である。図６および図７に示す矢印は、引き出し用部材３３を引っ張る方向を示している。引き出し用部材３３を支持部５の基端部付近まで引っ張っていくと、図１に示すように、本体部３２が支持部５のほぼ全面を被覆した状態となる。なお、図１に示す状態に達した後、支持部５のアーム部の適当な箇所においてドレープ３の上から紐等の部材を巻き付けることによってドレープ３を支持部５に固定してもよい。
【００４０】
以上説明した実施の形態１によれば、未使用時の状態で厚さ方向の内周側に折り畳まれたドレープ３の本体部３２の開口端部に、未使用時の状態から手術用顕微鏡２を被覆する使用時の状態への状態変化を促進する取手部としての引き出し用部材３３を備えたため、手術用顕微鏡２への装着が容易である。その結果、手術の準備を効率よく行うことが可能となる。
【００４１】
また、実施の形態１によれば、未使用時の状態で袋の内周側に折り畳んであるため、手術用顕微鏡２に装着する前にドレープ３が長手方向に広がってしまうおそれがなく、未使用時における取扱いが容易である。したがって、ユーザが不意にドレープ３を広げてしまい、不潔な場所にドレープ３が接触して破棄せざるを得ない状況が発生するのを防止することができ、ドレープ３の無駄を減らすことができる。
【００４２】
また、実施の形態１によれば、手術用顕微鏡２は、被観察体の微小部位を拡大して撮像する撮像部６２と、ユーザによって把持可能な筒状をなし、中空部に撮像部を収容してなるグリップ部（筒状部６１）と、を有する単純な形状であるため、ドレープ３の本体部３２を広げたときの形状を、長手方向に沿って開口カバー３１が設けられる側の端部から開口端部へ向けて、長手方向と直交する方向の幅が単調に増加する形状とすることができる。この意味でも、ドレープ３の手術用顕微鏡２への装着が容易である。
【００４３】
ここで、上述した特許文献１と比較して実施の形態１の効果を説明する。特許文献１では、複雑な形状を有する手術用顕微鏡に対応させるためにドレープを大きくした結果、ドレープと手術用顕微鏡との間に大きな隙間が生じるのを防ぐため、その隙間の空気をポンプによって吸引してドレープと手術用顕微鏡との隙間を小さくしている。しかしながら、このような従来構成は、ポンプが必要となって構造が複雑化し、装置の高価格化を招いていた。また、ドレープの本体部の面積が大きいため、ポンプによる吸引で隙間を小さくした後に、紐等を用いてドレープを手術用顕微鏡の支持部に束ねて固定すると、ドレープが厚みを有した状態で顕微鏡本体や支持部に密着してしまい、手術用顕微鏡の操作性が悪くなるという問題も抱えていた。これに対して、本実施の形態１では、引き出し用部材３３を設けたことにより、手術用顕微鏡２へのドレープ３の装着を容易とすることに加えて、手術用顕微鏡２が単純な形状であるため、ドレープ３の形状も単純であり、ドレープ３が手術用顕微鏡２の操作性に影響を与えるおそれもない。
【００４４】
なお、ドレープの本体部を未使用時の状態で厚さ方向の内周側に折り畳んだ構成とする代わりに、厚さ方向の外周側に折り畳んだ構成としてもよい。
【００４５】
（実施の形態２）
図８は、実施の形態２に係るドレープの未使用時の状態における構成を示す部分断面図である。同図に示すドレープ３Ａは、開口カバー３１と、本体部３２Ａと、引き出し用部材３３とを備える。本体部３２Ａは、未使用時の状態で長手方向（図８の左右方向）に折り畳まれた蛇腹状をなしており、引き出し用部材３３によって引っ張られることによって広がっていく。なお、図８では蛇腹状を明示するために本体部３２Ａを長手方向に広げた態様で記載しているが、実際には長手方向に重ねて折り畳まれた蛇腹状をなしている。また、引き出し用部材３３を引っ張ってドレープ３Ａを広げたときの形状は、実施の形態１で説明したドレープ３と同様である（図４を参照）。
【００４６】
以上の構成を有するドレープ３Ａは、実施の形態１で説明した手術用顕微鏡２とともに、実施の形態２に係る手術用顕微鏡システムを構成する。
【００４７】
実施の形態２において、ドレープ３Ａを広げて手術用顕微鏡２に装着する方法は、実施の形態１と同様である。すなわち、ユーザは、まず開口カバー３１を筒状部６１の先端に取り付け、ドレープ３Ａを広げずに手術用顕微鏡２の先端部を被覆した後、引き出し用部材３３を手でつかんで支持部５が基端側へ延びる方向に沿って本体部３２Ａを引っ張りながら支持部５の基端部付近まで広げていく。
【００４８】
以上説明した実施の形態２によれば、未使用時の状態で長手方向に沿って蛇腹状に折り畳まれたドレープ３Ａの本体部３２Ａの開口端部に、取手部としての引き出し用部材３３を備えたため、手術用顕微鏡２への装着が容易である。
【００４９】
また、実施の形態２によれば、実施の形態１と同様に、手術の準備を効率よく行うことができる上、ドレープ３Ａを広げたときの形状が単純であることからも手術用顕微鏡２への装着が容易であるという効果が得られる。
【００５０】
なお、本体部３２Ａに対する引き出し用部材３３を、開口端部付近の外周側に設けてもよい。
【００５１】
（実施の形態２の変形例）
図９は、実施の形態２の変形例に係るドレープの未使用時の状態における構成を示す部分断面図である。同図に示すドレープ３Ｂは、開口カバー３１と、本体部３２Ａと、引き出し用部材３３と、開口カバー３１から支持部５の基端部までの長さに相当する長さ分だけ延在する紐状のガイド部３４と、本体部３２Ａの蛇腹の内周側の折り目付近に本体部３２Ａの長手方向に沿って複数設けられ、各々がガイド部３４を挿通するリング状をなす複数の挿通部３５と、を有する。挿通部３５は、本体部３２Ａと同様の材料（ビニール等）を用いて構成される。本変形例においては、ガイド部３４および挿通部３５が、引き出し用部材３３とともに取手部を構成する。
【００５２】
なお、図９においても、蛇腹状を明示するために本体部３２Ａを実際より長手方向に広げた態様で記載している。また、図９では２つのガイド部３４を記載しているが、ガイド部３４の数はこれに限られるわけではなく、３以上であってもよい。
【００５３】
以上の構成を有するドレープ３Ｂを手術用顕微鏡２に装着する際、ユーザは未使用時の状態のドレープ３Ｂの中空部に顕微鏡部６を挿入して開口カバー３１を筒状部６１の先端に取り付けた後、ガイド部３４を支持部５の基端部まで伸ばす。続いて、ユーザは、ガイド部３４に張力を加えた状態で引き出し用部材３３をガイド部３４に沿って引っ張っていくことにより、本体部３２Ａを支持部５の基端部付近まで広げる。
【００５４】
以上説明した実施の形態２の変形例が、実施の形態２と同様の効果を奏することはもちろんである。加えて、本変形例によれば、本体部３２Ａがガイド部３４に沿って広がっていくため、手術用顕微鏡２に装着する際、本体部３２Ａを一段と広げやすい。
【００５５】
（実施の形態３）
図１０は、実施の形態３に係る手術用顕微鏡システムの要部の構成を示す図である。同図に示す手術用顕微鏡システム１Ａは、手術用顕微鏡２Ａと、ドレープ３とを備える。
【００５６】
手術用顕微鏡２Ａの支持部５Ａは、第１関節部５１Ａ、第１アーム部５２Ａ、および第２アーム部５４Ａの表面にそれぞれ設けられた複数のボールローラー２０１を有する。ボールローラー２０１は、支持部５Ａに沿って適宜設けられている。
【００５７】
以上の構成を有する手術用顕微鏡システム１Ａでは、ドレープ３の本体部３２を広げる際に、本体部３２に接触するボールローラー２０１が回転するため、本体部３２と支持部５Ａとの間の摩擦力が小さくなっている。すなわち、ボールローラー２０１は、ドレープ３が状態変化する際に本体部３２と手術用顕微鏡２Ａとの間に生じる摩擦力を低減する摩擦低減部である。このようなボールローラー２０１は、引き出し用部材３３とともに、ドレープ３における未使用時の状態から手術用顕微鏡２Ａを被覆する使用時の状態への状態変化を促進する滑動部を構成する。
【００５８】
なお、実施の形態３において、手術用顕微鏡システムが備えるドレープは、引き出し用部材３３を有していなくてもよい。この場合には、ボールローラー２０１が単独で滑動部を構成する。
【００５９】
以上説明した実施の形態３によれば、手術用顕微鏡２Ａの支持部５Ａに、滑動部としての複数のボールローラー２０１を備えたため、状態変化の際に生じるドレープ３の本体部３２と支持部５Ａとの間の摩擦力が低減され、手術用顕微鏡２Ａに対するドレープ３の装着が容易となる。その結果、手術の準備を効率よく行うことが可能となる。
【００６０】
なお、ボールローラー２０１の代わりに、支持部５Ａが伸びる方向に沿って回転する複数の滑車を設けてもよい。
【００６１】
また、実施の形態３に係る手術用顕微鏡システムを構成するドレープは、ドレープ３に限られるわけではなく、上述したドレープ３Ａまたは３Ｂを適用してもよいし、ドレープ３Ａまたは３Ｂから引き出し用部材３３を除いた構成を有するドレープを適用してもよい。
【００６２】
（実施の形態４）
図１１は、実施の形態４に係る手術用顕微鏡システムの要部の構成を示す図である。同図に示す手術用顕微鏡システム１Ｂは、手術用顕微鏡２Ｂと、ドレープ３とを備える。
【００６３】
手術用顕微鏡２Ｂの支持部５Ｂの表面には、潤滑部２０２が設けられている。潤滑部２０２は、例えば支持部５Ｂの表面にフッ素樹脂等の潤滑剤を塗布することによって形成されている。
【００６４】
以上の構成を有する手術用顕微鏡システム１Ｂでは、ドレープ３の本体部３２を広げる際に、本体部３２と支持部５Ｂとの間に生じる摩擦力を潤滑部２０２によって低減している。すなわち、潤滑部２０２は、ドレープ３が状態変化する際に本体部３２と手術用顕微鏡２Ｂとの間に生じる摩擦力を低減する摩擦低減部である。このような潤滑部２０２は、引き出し用部材３３とともに、ドレープ３における未使用時の状態から手術用顕微鏡２Ｂを被覆する使用時の状態への状態変化を促進する滑動部を構成する。
【００６５】
実施の形態４においても、手術用顕微鏡システムが備えるドレープは、引き出し用部材３３を有していなくてもよい。この場合には、潤滑部２０２が単独で滑動部を構成する。
【００６６】
以上説明した実施の形態４によれば、手術用顕微鏡２Ｂの支持部５Ｂの表面に形成され、滑動部としての潤滑部２０２を備えたため、ドレープ３の状態変化の際に生じる本体部３２と支持部５Ｂとの間の摩擦力が低減され、手術用顕微鏡２Ｂに対するドレープ３の装着が容易である。その結果、手術の準備を効率よく行うことが可能となる。
【００６７】
なお、潤滑部２０２を支持部５Ｂの表面全体に設ける代わりに、支持部５Ｂのうち形状が複雑であってドレープ３が引っかかりそうな部分（例えば各関節部付近）の表面にのみ潤滑部２０２を設けてもよい。
【００６８】
また、支持部５Ｂに対して実施の形態３で説明したボールローラー２０１をさらに設けてもよいし、ボールローラー２０１と潤滑部２０２を支持部５Ｂの別な箇所に設けてもよい。
【００６９】
また、実施の形態４に係る手術用顕微鏡システムを構成するドレープは、実施の形態３と同様にドレープ３に限られるわけではなく、上述したドレープ３Ａまたは３Ｂを適用してもよいし、ドレープ３Ａまたは３Ｂから引き出し用部材３３を除いた構成を有するドレープを適用してもよい。
【００７０】
（その他の実施の形態）
手術用顕微鏡として、ユーザが目を近づけて被観察体の像を観察するための接眼部を備えた光学式の手術用顕微鏡を適用してもよい。この場合はドレープの形状が複雑であるものの、取手部を設けることにより、手術用顕微鏡へのドレープの装着が容易となる。
【００７１】
また、手術用顕微鏡のベース部は、床面上に移動可能に設ける代わりに、天井や壁面やベッド等に固定した構成としてもよい。
【符号の説明】
【００７２】
１、１Ａ、１Ｂ  手術用顕微鏡システム
２、２Ａ、２Ｂ  手術用顕微鏡
３、３Ａ、３Ｂ  ドレープ
４  ベース部
５、５Ａ、５Ｂ  支持部
６  顕微鏡部
３１  開口カバー
３２、３２Ａ  本体部
３３  引き出し用部材
３４  ガイド部
３５  挿通部
５１、５１Ａ  第１関節部
５２、５２Ａ  第１アーム部
５３、５３Ａ  第２関節部
５４、５４Ａ  第２アーム部
６１  筒状部
６２  撮像部
６３  操作入力部
２０１  ボールローラー
２０２  潤滑部
６２１  光学系
６２２  撮像素子
【図１】
2018166639.tif 000003
【図２】
2018166639.tif 000004
【図３】
2018166639.tif 000005
【図４】
2018166639.tif 000006
【図５】
2018166639.tif 000007
【図６】
2018166639.tif 000008
【図７】
2018166639.tif 000009
【図８】
2018166639.tif 000010
【図９】
2018166639.tif 000011
【図１０】
2018166639.tif 000012
【図１１】
2018166639.tif 000013